(57)【要約】【課題】  本発明に係る充電電池を整合する燃料電池の給電システムは燃料電池群、充電電池装置、回路切換装置で構成されているものである。【解決手段】  前記燃料電池群は直流電力を出力し、前記充電電池装置は複数個の充電電池を含み、前記充電電池は再生電池であって直流電力を入出力することができ、また前記回路切換装置は回路切換装置の直流電力出力端と電気導通選択手段を含む。前記燃料電池群と各充電電池はそれぞれ前記回路切換装置を電気接続し、前記回路切換装置は前記燃料電池群により前記充電電池装置における何れかの充電電池を電気導電すると共に、前記充電電池装置の他の充電電池の何れかの充電電池により前記回路切換装置の直流電力出力端と電気接続する。【選択図】   図１
2008259411.tif 000002
【特許請求の範囲】
【請求項１】
燃料電池群の直流電力出力端から一定電圧を出力することができる直流電力を含む燃料電池群と、
複数個の充電電池を含み、前記充電電池は再生電池で、充電電池の直流電力出力端から直流電力を入出力することができる充電電池装置と、
回路切換装置の直流電力出力端及び電気導通選択手段を含む回路切換装置を具備し、
前記燃料電池群と各充電電池はそれぞれ前記回路切換装置を電気接続し、前記回路切換装置は、前記燃料電池群により前記充電電池における何れかの充電電池を電気導通すると共に、前記充電電池装置の他の充電電池における何れかの充電電池により前記回路切換装置の直流電力出力端を電気接続することを特徴とする充電電池を整合する燃料電池の給電システム。
【請求項２】
前記充電電池装置の複数個の充電電池には第一充電電池と第二充電電池を含み、
前記回路切換装置は、前記燃料電池群により前記第一充電電池を電気導通すると共に前記第二充電電池により前記回路切換装置の直流電力出力端を電気導通し、或いは前記回路切換装置は、前記燃料電池群により前記第二充電電池を電気導通すると共に、前記第一充電電池により前記回路切換装置の直流電力出力端を電気導通することを特徴とする請求項1に記載する充電電池を整合する燃料電池の給電システム。
【請求項３】
前記回路切換装置はさらに電流方向制限回路を含み、前記電流方向制限回路は第一電流方向制限素子、第二電流方向制限素子、第三電流方向制限素子と第四電流方向制限素子で構成され、前記電流方向制限素子はそれぞれ電流方向を順方向に限定し、
前記第一電流方向制限素子は前記第二電流方向制限素子を直列にし、前記第三電流方向制限素子は前記第四電流方向制限素子を直列にし、前記第一電流方向制限素子の一端は第一ノードと定義し、前記第一電流方向制限素子と前記第二電流方向制限素子の間は第二ノードと定義し、前記第二電流方向制限素子の他端は第三ノードと定義し、前記第三電流方向制限素子の一端は前記第一ノードと電気接続し、前記第三電流方向制限素子と前記第四電流方向制限素子の間は第四ノードと定義し、前記第四電流方向制限素子の他端は第三ノードを電気接続し、前記第一ノードから前記第二ノード、前記第二ノードから前記第三ノード、前記第一ノードから前記第四ノード及び前記第四ノードから前記第三ノードは全て順方向電流或いは全て逆方向電流であり、また、前記燃料電池群の直流電力出力端、前記第二充電電池の直流電力出力端、前記回路切換装置の直流電力出力端と前記第一充電電池の直流電力出力端はそれぞれ前記第一ノード、前記第二ノード、前記第三ノード及び前記第四ノードと電気接続することを特徴とする請求項２に記載する充電電池を整合する燃料電池の給電システム。
【請求項４】
前記電流方向制限素子はそれぞれダイオードであることを特徴とする請求項３に記載する充電電池を整合する燃料電池の給電システム。
【請求項５】
前記第一ノードから前記第二ノード、前記第二ノードから前記第三ノード、前記第一ノードから前記第四ノード及び前記第四ノードから前記第三ノードは全て順方向電流であり、前記燃料電池群の直流電力出力端の正電極、前記第二充電電池の直流電力出力端の正電極、前記回路切換装置の直流電力出力端の正電極、前記第一充電電池の直流電力出力端の正電極はそれぞれ前記第一ノード、前記第二ノード、前記第三ノード及び前記第四ノードを電気接続すると共に、前記燃料電池群の直流電力出力端の負電極、前記第一充電電池の直流電力出力端の負電極と前記第二充電電池の直流電力出力端の負電極はそれぞれ前記回路切換装置の直流電力出力端の負電極を電気接続することを特徴とする請求項３に記載する充電電池を整合する燃料電池の給電システム。
【請求項６】
前記燃料電池群と前記充電電池装置は前記回路切換装置の直流電力出力端とはアースすることを特徴とする請求項３に記載する充電電池を整合する燃料電池の給電システム。
【請求項７】
前記回路切換装置はさらに切換ユニットと制御ユニットを含み、前記切換ユニットはＰＬＣ（programmable logic control）で、前記制御ユニットはロジック制御するマイクロプロセッサーであり、前記制御ユニットは前記回路切換装置の切換ユニットを制御し、前記燃料電池群により前記充電電池装置の何れかの充電電池を電気接続すると共に、前記充電電池装置の他の充電電池の何れかの充電電池により電力を出力することを特徴とする請求項1に記載する充電電池を整合する燃料電池の給電システム。
【請求項８】
前記充電電池装置の複数個の充電電池には第一充電電池と第二充電電池を含み、前記制御ユニットは前記回路切換装置の切換ユニットを制御し、前記燃料電池群により前記第一充電電池を電気導通すると共に、前記第二充電電池により前記回路切換装置の直流電力出力端を電気導通し、或いは前記制御ユニットが前記回路切換装置の切換ユニットを制御し、前記燃料電池群により前記第二充電電池を電気導通すると共に、前記第一充電電池により前記回路切換装置の直流電力出力端を電気導通することを特徴とする請求項７に記載する充電電池を整合する燃料電池の給電システム。
【請求項９】
前記回路切換装置はさらに検知ユニットを含み、前記検知ユニットは電力検知ユニットであると共に、それぞれ前記充電電池装置の第一充電電池と第二充電電池を電気接続し、前記第一充電電池と前記第二充電電池からそれぞれ出力する電力特性を前記制御ユニットにフィードバックし、前記制御ユニットは電力特性によって前記切換ユニットの操作ステップを判断し制御することを特徴とする請求項８に記載する充電電池を整合する燃料電池の給電システム。
【請求項１０】
前記検知ユニットは前記第一充電電池と前記第二充電電池がそれぞれ出力する電圧を検知することを特徴とする請求項９に記載する充電電池を整合する燃料電池の給電システム。
【請求項１１】
前記切換ユニットはさらに第一スイッチ素子と第二スイッチ素子を含み、前記第一スイッチ素子と前記第二スイッチ素子はそれぞれ単一ポートの複数ポートに対するロジック制御ゲート素子であり、前記回路切換装置はさらに第一ノード、第二ノード、第三ノードと第四ノードを含み、
前記切換ユニットは前記第一ノード、前記第二ノード、前記第三ノード及び前記第四ノードにより、それぞれ前記燃料電池群、前記第二充電電池、前記第一直流電力出力端及び前記第一充電電池と電気接続し、前記第一スイッチ素子は前記第一ノードを電気接続する一つの入力端と前記第二ノードと前記第四ノードをそれぞれ電気接続する二つの出力端とを含み、前記第二スイッチ素子は二つの入力端がそれぞれ前記第二ノードと前記第四ノードを電気接続し、そして一つの出力端が前記第三ノード電気接続し、さらに前記制御ユニットは前記第一スイッチ素子を制御して前記燃料電池群により前記第一充電電池と電気導通し、前記第二スイッチ素子を制御して前記第二充電電池により前記電子装置と電気導通し、或いは前記制御ユニットは前記第一スイッチ素子を制御して前記燃料電池群により前記第二充電電池と電気導通し、前記第二スイッチ素子を制御して前記第一充電電池により前記電子装置と電気導通することを特徴とする請求項９に記載する充電電池を整合する燃料電池の給電システム。
【請求項１２】
前記回路切換装置はさらに検知ユニットを含み、前記検知ユニットは電力検知ユニットであり、それぞれ前記充電電池装置の第一充電電池と第二充電電池を電気接続し、前記第一充電電池と前記第二充電電池からそれぞれ出力する電力特性を前記制御ユニットにフィードバックし、また前記制御ユニットは電力特性によって前記切換ユニットの操作ステップを判断し制御することを特徴とする請求項１１に記載する充電電池を整合する燃料電池の給電システム。
【請求項１３】
前記検知ユニットは前記第一充電電池と前記第二充電電池がそれぞれ出力される電圧を検知することを特徴とする請求項1２に記載する充電電池を整合する燃料電池の給電システム。
【発明の詳細な説明】
【技術分野】
【０００１】
本発明は充電電池を整合する燃料電池の給電システムに関し、燃料電池群により充電電池に充電を行うことができると共に、充電電池から直接必要な電力が出力できる給電システムに関する。
【背景技術】
【０００２】
従来の燃料電池はメチルアルコールの様な水素が豊富な(hydrogen-rich)燃料で電気化学反応をさせて電力を出力する電池コアを有するが、こうした燃料電池は通常複雑な補助システム(Balance of Plant, ＢＯＰ)により前記燃料電池を制御して電気化学反応に必要な操作条件制御又は操作ステップ制御を行わなければならない。また、こうした燃料電池は負荷変動範囲が非常に大きい状況で使用する場合、補助システム(ＢＯＰ)が燃料電池の操作条件制御を行う必要があるのみならず、複雑な電力管理システムと共に再生電池に併せて電力を割り振る必要がある。
【０００３】
このため従来の燃料電池の再生電池を整合する給電システムは制御面が困難であるばかりでなく、その複雑な補助システム(ＢＯＰ)又は電力管理システムが給電システム全体のコストを押し上げることになる。
【０００４】
従って、本発明の発明人は従来の燃料電池の欠点に鑑み、充電電池を整合する燃料電池給電システムを発明するに至った。
【発明の開示】
【発明が解決しようとする課題】
【０００５】
本発明は主に燃料電池群から生じる電力で充電電池に充電を行うと共に、充電電池から必要な電力を直接出力することにより、前記燃料電池群の電力発生コアが反応する条件制御を簡素化し、さらに燃料電池をコアとする給電システムの反応条件制御に必要な装置又は制御プログラムを簡素化するための充電電池を整合する燃料電池給電システムを提供する。
【０００６】
本発明の別途目的は複数個の充電電池の充電状態又は電力出力状態を切換えて、燃料電池が電力発生コアとなって前記充電電池が電力出力の給電システムを提供するための充電電池を整合する燃料電池給電システムを提供することである。
【０００７】
本発明の別途目的は電気回路を通じて充電電池の充電状態と電力出力状態から生じた電圧降下又は電圧上昇現象を利用して、複数個の充電電池の充電状態又は電力出力状態の切換をするための充電電池を整合する燃料電池給電システムを提供することである。
【課題を解決するための手段】
【０００８】
上記の目的を達するため、本発明は燃料電池群、充電電池装置及び回路切換装置からなる充電電池を整合する燃料電池の給電システムを提供する。前記燃料電池群は直流電力を出力し、前記充電電池装置は複数個の充電電池を含み、前記充電電池は再生電池で直流電力を入出力することができ、前記回路切換装置は回路切換装置の直流電力出力端及び電気導通選択手段を含む。前記燃料電池群と各充電電池はそれぞれ前記回路切換装置を電気接続し、前記回路切換装置は、前記燃料電池群により前記充電電池における何れかの充電電池を電気導通すると共に、前記充電電池装置の他の充電電池における何れかの充電電池により前記回路切換装置の直流電力出力端を電気接続する。
【０００９】
前記回路切換装置は電流方向制限回路を含み、前記電流方向制限回路は第一電流方向制限素子、第二電流方向制限素子、第三電流方向制限素子と第四電流方向制限素子で構成され、前記電流方向制限素子はそれぞれ電流方向を順方向に限定し、前記第一電流方向制限素子は前記第二電流方向制限素子を直列にし、前記第三電流方向制限素子は前記第四電流方向制限素子を直列にし、前記第一電流方向制限素子の一端は第一ノードと定義し、前記第一電流方向制限素子と前記第二電流方向制限素子の間は第二ノードと定義し、前記第二電流方向制限素子の他端は第三ノードと定義し、前記第三電流方向制限素子の一端は前記第一ノードと電気接続し、前記第三電流方向制限素子と前記第四電流方向制限素子の間は第四ノードと定義し、前記第四電流方向制限素子の他端は第三ノードを電気接続し、前記第一ノードから前記第二ノード、前記第二ノードから前記第三ノード、前記第一ノードから前記第四ノード及び前記第四ノードから前記第三ノードは全て順方向電流或いは全て逆方向電流であり、また、前記燃料電池群の直流電力出力端、前記第二充電電池の直流電力出力端、前記回路切換装置の直流電力出力端と前記第一充電電池の直流電力出力端はそれぞれ前記第一ノード、前記第二ノード、前記第三ノード及び前記第四ノードと電気接続する。
【００１０】
また、前記回路切換装置はさらに切換ユニットと制御ユニットを含み、前記切換ユニットはＰＬＣ（programmable logic control）で、前記制御ユニットはロジック制御するマイクロプロセッサーであり、前記制御ユニットは前記回路切換装置の切換ユニットを制御し、前記燃料電池群により前記充電電池装置の何れかの充電電池と電気接続すると共に、前記充電電池装置の他の充電電池の何れかの充電電池により電力を出力する。
【００１１】
その上、前記回路切換装置はさらに検知ユニットを含み、前記検知ユニットは電力検知ユニットであると共に、それぞれ前記充電電池装置の第一充電電池と第二充電電池を電気接続し、前記第一充電電池と前記第二充電電池からそれぞれ出力する電力特性を前記制御ユニットにフィードバックし、前記制御ユニットは電力特性によって前記切換ユニットの操作ステップを判断し制御する。
【発明の効果】
【００１２】
従って、本発明の有益な効果は前記燃料電池群の電力発生コアが反応する条件制御を簡素化し、さらに燃料電池をコアとする給電システムの反応条件制御に必要な装置又は制御プログラムを簡素化し、複数個の充電電池の充電状態又は電力出力状態を切換えて、燃料電池が電力発生コアとなって前記充電電池が電力出力の給電システムを提供できるようにし、そして電気回路を通じて充電電池の充電状態と電力出力状態から生じた電圧降下又は電圧上昇現象を利用して、複数個の充電電池の充電状態又は電力出力状態の切換ができるようにすることにある。
【００１３】
当業者が本発明の目的、特徴及び効果を理解するために、下記具体的実施例により図面と併せて、本発明について詳細に説明することとする。
【発明を実施するための最良の形態】
【００１４】
図１は本発明の充電電池を整合する燃料電池の給電システムの具体実施例を示した素子関連図である。本発明は充電電池を整合する燃料電池給電システムに関し、燃料電池群１、回路切換装置２及び充電電池装置３からなる。そのうち前記燃料電池群は燃料電池の電力発生コアを含むので、燃料電池の運用メカニズムを実行することができ、またさらに直流電力を生じて前記燃料電池群の直流電力の正電極と直流電力の負電極を通じて出力する。前記充電電池装置３には複数個の充電電池と充電回路を具え、各充電電池はそれぞれ前記回路切換装置２と電気接続すると共に、前記充電電池は直流電力を生じてそれぞれ各充電電池の直流電力の正電極と直流電力の負電極を通じて電力を前記回路切換装置２に出力すると共に、前記回路切換装置２は、前記充電電池装置３の充電電池が給電し、若しくは前記燃料電池１が前記充電電池装置３の充電回路を通じて前記充電電池装置３の充電電池に充電する。そして前記回路切換装置２は直流電力出力端の回路手段を含み、これにより直流電力の回路を形成すると共に、前記回路切換装置２は、前記燃料電池群１が前記充電電池装置３の何れかの充電電池と電気導通すると同時に、前記充電電池装置３のその他の充電電池における何れかの充電電池が電力を出力し、又は電子装置４に電気導通する。従って、前記充電電池装置３の一部の充電電池は電力を出力すると同時に、前記燃料電池群１は前記充電電池装置３において電力を出力していない充電電池の充電を同時に行うことができる。
【００１５】
具体的には、前記燃料電池群１は特定電圧の電力を出力することができ、前記充電電池装置３は第一充電電池３１と第二充電電池３２からなり、且つ前記回路切換装置２は、前記燃料電池群１により前記第一充電電池３１に電気接続し、且つ前記第二充電電池３２が前記電子装置４に電気接続し、又は前記回路切換装置２は、前記燃料電池群１により前記第二充電電池３２に電気接続し、且つ前記第一充電電池３１が前記電子装置４に電気接続する。従って、前記第一充電電池３１の電力が降下すると、前記回路切換装置２は、前記燃料電池群１により前記第一充電電池３１に電気接続し、且つ前記第二充電電池３２が前記電子装置４に電気接続して、前記燃料電池群１は前記第一充電電池３１に充電することができ、且つ前記第二充電電池３２は前記電子装置４に電力を出力することができる。同じ道理で、前記第二充電電池３２の電力が降下すると、前記回路切換装置２は前記燃料電池群１により前記第二充電電池３２に電気接続し、且つ前記第一充電電池３１が前記電子装置４に電気接続して、前記燃料電池群１は前記第二充電電池３２に充電することができ、且つ前記第一充電電池３１は前記電子装置４に電力を出力することができる。
【００１６】
図２は本発明の充電電池を整合する燃料電池の給電システムの別途具体実施例を示した素子関連図である。前記本発明の充電電池を整合する燃料電池の給電システムに基づき、前記回路切換装置２は電流方向制限回路２１、第一直流電力出力端２６、第二直流電力出力端２７からなり、前記電流方向制限回路２１は第一電流方向制限素子２１ａ、第二電流方向制限素子２１ｂ、第三電流方向制限素子２１ｃ、第四電流方向制限素子２１ｄからなり、前記電流方向制限素子はそれぞれ電流方向を順方向電流に限定するためのもので、具体的には、前記電流方向制限素子はそれぞれダイオードである。前記回路切換装置２は第一ノード２２、第二ノード２３、第三ノード２４及び第四ノード２５を含み、且つ前記電流方向制限回路２１は前記第一ノード２２、前記第二ノード２３、前記第三ノード２４及び前記第四ノード２５を通じて、前記燃料電池群１、前記第二充電電池３２、前記第一直流電力出力端２６及び前記第一充電電池３１と電気接続し、また、前記第一電流方向制限素子２１ａは前記第二電流方向制限素子２１ｂを直列にし、前記第三電流方向制限素子２１ｃは前記第四電流方向制限素子２１ｄを直列にし、前記第一電流方向制限素子２１ａの一端は前記第一ノード２２と電気接続し、前記第一電流方向制限素子２１ａの他端と前記第二電流方向制限素子２１ｂの一端は前記第二ノード２３と電気接続し、前記第二電流方向制限素子２１ｂの他端は前記第三ノード２４と電気接続し、前記第三電流方向制限素子２１ｃの一端は前記第一ノード２２と電気接続し、前記第三電流方向制限素子２１ｃの他端と前記第四電流方向制限素子２１ｄの一端は前記第四ノード２５と電気接続し、前記第四電流方向制限素子２１ｄの他端は前記第三ノード２４と電気接続して、前記直列にした第一電流方向制限素子２１ａと第二電流方向制限素子２１ｂは、前記直列にした第三電流方向制限素子２１ｃと第四電流方向制限素子２１ｄを並列にし、また前記第一ノード２２から前記第二ノード２３、前記第二ノード２３から前記第三ノード２４、前記第一ノード２２から前記第四ノード２５及び前記第四ノード２５から前記第三ノード２４は全て順方向電流である。さらに、前記燃料電池群１の直流電力の正電極、前記第二充電電池３２の直流電力の正電極、前記回路切換装置２の前記第一直流電力出力端２６及び前記第一充電電池３１の直流電力の正電極はそれぞれ前記第一ノード２２、前記第二ノード２３、前記第三ノード２４及び前記第四ノード２５と電気接続し、且つ前記燃料電池群１の直流電力の負電極、前記第一充電電池３１の直流電力の負電極及び前記第二充電電池３２の直流電力の負電極はそれぞれ前記第二直流電力出力端２７と電気接続する。
【００１７】
そしてまた、前記回路切換装置２における第一直流電力出力端２６と前記第二直流電力出力端２７はそれぞれ直流電力の正電極と負電極とに分けられ、前記燃料電池群１、前記充電電池装置３及び前記電子装置４は前記第二直流電力出力端２７を通じてアースする。
【００１８】
従って、前記第二充電電池３２の直流電力の正電極は順番に、前記第二ノード２３、前記第二電流方向制限素子２１ｂ、前記第三ノード２４及び前記電流方向制限回路２１の第一直流電力出力端２６を経由して、電力を前記電子装置４に出力すると、前記第二充電電池３２の出力電圧は次第に降下して、前記第一充電電池３１の出力電圧より低くなり、且つ前記燃料電池群１の出力電圧より低くなる。続いて、前記燃料電池群１の直流電力の正電極は順番に、前記第一ノード２２、前記第一電流方向制限素子２１ａ及び前記第二ノード２３を経由して、電力を前記第二充電電池３２に出力すると同時に、前記第一充電電池３１の直流電力の正電極は順番に、前記第四ノード２５、前記第四電流方向制限素子２１ｄ、前記第三ノード２４及び前記電流方向制限回路２１の第一直流電力出力端２６を経由して、電力を前記電子装置４に出力すると、前記第一充電電池３１の出力電圧は次第に降下して、前記第二充電電池３２の出力電圧より低くなり、且つ前記燃料電池群１の出力電圧より低くなる。こうして前記充電電池装置３の前記第一充電電池３１と前記第二充電電池３２は代わる代わる充電と放電をするメカニズムを形成する。
【００１９】
図３は本発明の充電電池を整合する燃料電池の給電システムの第三の具体実施例を示した素子関連図である。前記本発明の充電電池を整合する燃料電池給電システムに基づき、前記回路切換装置２は切換ユニット２８と制御ユニット２９を含み、前記切換ユニット２８はＰＬＣで、前記制御ユニット２９はロジック制御するマイクロプロセッサーで、且つ前記回路切換装置２の切換ユニット２８を制御して前記燃料電池群１により前記充電電池装置３における何れかの充電電池と電気導通すると同時に、前記充電電池装置の他の充電電池の何れかの充電電池により電子装置４に電力を出力し若しくは電気導通する。
【００２０】
従って、本発明の充電電池を整合する燃料電池給電システムにおいて、前記第二充電電池３２の電圧は前記第一充電電池３１より高いので、前記制御ユニット２９は前記切換ユニット２８を制御して前記燃料電池群１により前記第一充電電池３１に電気接続し、且つ前記第二充電電池３２は前記電子装置４に電気接続し、また前記燃料電池群１は前記第一充電電池３１を充電し、前記第二充電電池３２は前記電子装置４に電力を出力する。同様の道理で、前記制御ユニット２９もまた前記切換ユニット２８を制御して前記燃料電池群１により前記第二充電電池３２と電気接続し、且つ前記第一充電電池３１は前記電子装置４に電気接続し、前記燃料電池群１は前記第二充電電池３２を充電し、また前記第一充電電池３１は前記電子装置４に電力を出力する。
【００２１】
このほか、前記回路切換装置２にはさらに検知ユニット２９１を含み、前記検知ユニット２９１は電力検知素子であって、それぞれ前記充電電池装置３の第一充電電池３１と第二充電電池３２に電気接続して、前記第一充電電池３１と前記第二充電電池３２はそれぞれ出力する電力特性を検知するのに用い、前記制御ユニット２９が前記切換ユニット２８の操作ステップを判断し制御する。具体的には、前記検知ユニット２９１は前記第一充電電池３１と前記第二充電電池３２がそれぞれ出力する電圧を検知して、前記制御ユニット２９は前記検知ユニット２９１がフィードバックした電圧信号に基づいて、前記切換ユニット２８の回路ロジック作動を制御する。従って、前記検知ユニット２９１がフィードバックした第一充電電池３１の出力電力の電圧が予め設定した電圧値より低い場合、前記制御ユニット２９は前記切換ユニット２８を制御し、前記燃料電池群１により前記第一充電電池３１に電気接続し、且つ前記第二充電電池３２は前記電子装置４に電気接続して、前記燃料電池群１は前記第一充電電池３１を充電し、前記第二充電電池３２は前記電子装置４に電力を出力することができる。同様の道理で、前記検知ユニット２９１がフィードバックした第二充電電池３２の出力電力の電圧が予め設定した電圧値より低い場合、前記制御ユニット２９は前記切換ユニット２８を制御し、前記燃料電池群により前記第二充電電池３２に電気接続し、且つ前記第一充電電池３１は前記電子装置４に電気接続して、前記燃料電池群１は前記第一充電電池３１を充電し、前記第一充電電池３１は前記電子装置４に電力を出力することができる。
【００２２】
図４は本発明の充電電池を整合する燃料電池の給電システムの第四の具体実施例を示した素子関連図である。前記回路切換装置２では、前記切換ユニット２８が第一スイッチ素子２８ａと第二スイッチ素子２８ｂのＰＬＣを含み、前記第一スイッチ素子２８ａと前記第二スイッチ素子２８ｂはそれぞれ単一ポートの複数ポートに対するロジック制御ゲート素子である。前記第一スイッチ素子２８ａは前記第一ノード２２と電気接続する一つの入力端を有し、また前記第二ノード２３と前記第四ノード２５とそれぞれ電気接続する二つの入力端を有し、前記第二スイッチ素子２８ｂは、前記第二ノード２３と前記第四ノード２５とそれぞれ電気接続する二つの入力端を有し、且つ前記第三ノード２４と電気接続する一つの入力端を有して、前記第一スイッチ素子２８ａは前記燃料電池群１、前記第一充電電池３１及び前記第二充電電池３２と電気接続し、前記第二スイッチ素子２８ｂは前記電子装置４、前記第一充電電池３１及び前記第二充電電池３２と電気接続すると共に、前記制御ユニット２９は前記第一スイッチ素子２８ａを制御して、前記燃料電池群１により前記第一充電電池３１と電気導通し、且つ前記第二スイッチ素子２８ｂを制御して、前記第二充電電池３２により前記電子装置４と電気導通し、若しくは前記制御ユニット２９が前記第一スイッチ素子２８ａを制御して、前記燃料電池群１により前記第二充電電池３２と電気導通し、且つ前記第二スイッチ素子２８ｂを制御して、前記第一充電電池３１により前記電子装置４と電気導通する。
【００２３】
さらに、前記実施例と同様に、前記回路切換装置２における第一直流電力出力端２６と第二直流電力出力端２７はそれぞれ直流電力の正電極と負電極であって、そのうち、前記燃料電池群１、前記充電電池装置３及び前記電子装置４は、前記第二直流電力出力端２７を通じてアースする。
【００２４】
従って、本発明の充電電池を整合する燃料電池給電システムにおいて、前記第二充電電池３２の電圧は予め前記第一充電電池３１より高く設定することができ、前記検知ユニット２９１がフィードバックした第一充電電池３１の出力電力の電圧が予め設定した電圧値より低い場合、前記制御ユニット２９は前記切換ユニット２８を制御し、前記燃料電池群１により前記第一充電電池３１と電気導通し、且つ前記第二スイッチ素子２８ｂを制御して、前記第二充電電池３２により前記電子装置４と電気導通して、前記燃料電池群１は前記第一充電電池３１を充電し、前記第二充電電池３２は前記電子装置４に電力を出力することができる。同様の道理で、前記検知ユニット２９１がフィードバックした第二充電電池３２の出力電力の電圧が予め設定した電圧値より低い場合、前記制御ユニット２９は前記第一スイッチ素子２８ａを制御し、前記燃料電池群１により前記第二充電電池３２と電気導通し、前記第二スイッチ素子２８ｂを制御して、前記第一充電電池３１により前記電子装置４と電気導通して、前記燃料電池群１は前記第二充電電池３２を充電し、前記第一充電電池３１は前記電子装置４に電力を出力することができる。
【００２５】
また、前記検知ユニット２９１がフィードバックした前記第一充電電池３１と前記第二充電電池３２が何れも予め設定した数値より低い場合、前記制御ユニット２９は前記第一スイッチ素子２８ａを制御して、前記燃料電池群１により前記第一充電電池３１と電気導通し、且つ前記第二スイッチ素子２８ｂを制御して、前記第二充電電池３２により前記電子装置４とは開回路となって、前記燃料電池群１は前記第一充電電池３１を充電することができ、且つ前記第二充電電池３２は電力を出力しない。さらに、前記第一充電電池３１が充電される際、前記検知ユニット２９１がフィードバックした前記第一充電電池３１が予め設定した数値より高い場合、前記制御ユニット２９は前記第一スイッチ素子２８ａを制御し、前記燃料電池群１により前記第二充電電池３２と電気導通し、前記第二スイッチ素子２８ｂを制御して、前記第一充電電池３１により前記電子装置４と電気導通して、前記燃料電池群１は前記第二充電電池３２を充電し、前記第一充電電池３１は前記電子装置４に電力を出力することができる。
【００２６】
以上述べた内容は本発明の好ましい実施例の解釈のためのものに過ぎず、これを以って本発明について如何なる形式的制限を意図するものではなく、従って同様な発明精神の下で行った本発明に関連する如何なる修飾若しくは変更も全て本発明が保護を意図する範疇に含まれるものとする。
【図面の簡単な説明】
【００２７】
【図１】本発明の充電電池を整合する燃料電池の給電システムの具体実施例を示した素子関連図である。
【図２】本発明の充電電池を整合する燃料電池の給電システムの別途具体実施例を示した素子関連図である。
【図３】本発明の充電電池を整合する燃料電池の給電システムの第三の具体実施例を示した素子関連図である。
【図４】本発明の充電電池を整合する燃料電池の給電システムの第四の具体実施例を示した素子関連図である。
【符号の説明】
【００２８】
１      燃料電池群
２      回路切換装置
２１    電流方向制限回路
２１ａ  第一電流方向制限素子
２１ｂ  第二電流方向制限素子
２１ｃ  第三電流方向制限素子
２１ｄ  第四電流方向制限素子
２２    第一ノード
２３    第二ノード
２４    第三ノード
２５    第四ノード
２６    第一直流電力出力端
２７    第二直流電力出力端
２８    切換ユニット
２８ａ  第一スイッチ素子
２８ｂ  第二スイッチ素子
２９    制御ユニット
２９１  検知ユニット
３      充電電池装置
３１    第一充電電池
３２    第二充電電池
４      電子装置
【図１】
2008259411.tif 000003
【図２】
2008259411.tif 000004
【図３】
2008259411.tif 000005
【図４】
2008259411.tif 000006